(57)【要約】  【課題】  自立的に排泄不能な使用者が、ベッドや車椅子などで使用でき、固い排泄物であっても目詰まり無く配送できる排泄物配送装置を提供する。  【解決手段】  人体の局所に装着可能に形成された受け部２を、可撓性のある導管５の一端部に接続し、導管５の他端部を、導管５の内容物を吸引する吸引部９に接続し、らせん状に旋回し可撓性を有するスパイラル芯材６を、導管５内部へ回転可能に挿入し、スパイラル芯材６に複数の羽根部７を植設し、スパイラル芯材６に駆動部８の回転力を印加してなる排泄物配送装置１により、固い固形の排泄物などであっても、スムーズに配送される。この排泄物配送装置１が組み込まれた排泄物処理装置などにより、自立的な排泄が困難な使用者にとって、ベッドや車椅子での簡易的な排泄が容易となる。【選択図】  図１
2007029286.tif 000002
【特許請求の範囲】
【請求項１】
人体の股部に装着可能に形成された受け部を、可撓性のある導管の一端部に接続し、
前記導管の他端部を、前記導管の内容物を吸引する吸引部に接続し、
らせん状に旋回し可撓性を有するスパイラル芯材を、前記導管内部へ回転可能に挿入し、
前記スパイラル芯材に複数の羽根部を植設し、前記スパイラル芯材に駆動部の回転力を印加してなる排泄物配送装置。
【請求項２】
前記複数の羽根部は、隣接する羽根部との間に空隙を有する請求項１記載の排泄物配送装置。
【請求項３】
前記複数の羽根部の少なくとも一部を、千鳥配列に植設してなる請求項１から２のいずれか記載の排泄物配送装置。
【請求項４】
前記複数の羽根部の少なくとも一部を、くしの歯状に植設してなる請求項１から２のいずれか記載の排泄物配送装置。
【請求項５】
前記複数の羽根部の少なくとも一部を、前記スパイラル芯材の形成する仮想円周の内周に植設してなる請求項１から４のいずれか記載の排泄物配送装置。
【請求項６】
前記複数の羽根部の外縁の少なくとも一部を尖らせてなる請求項１から５のいずれか記載の排泄物配送装置。
【請求項７】
前記導管内部に、可撓性のある導光管を挿入し、前記導光管に光線を照射する光源を設け、前記導管内部を光触媒処理してなる請求項１から６のいずれか記載の排泄物配送装置。
【請求項８】
前記導光管を前記スパイラル芯材のらせんの軸心に装着し、前記導光管を前記スパイラル芯材の回転軸としてなる請求項７記載の排泄物配送装置。
【請求項９】
前記導光管に間接部を設けてなる請求項７から９のいずれか記載の排泄物配送装置。
【請求項１０】
人体の股部に装着可能に形成された受け部を、可撓性のある導管の一端部に接続し、らせん状に旋回し可撓性を有するスパイラル芯材を、前記導管内部へ回転可能に挿入し、スパイラル芯材に複数の羽根部を植設してなる排泄物配送装置用ユニット。
【発明の詳細な説明】
【技術分野】
【０００１】
本発明は、病人や介護を必要とする患者にとって、ベッドや車椅子などでも使用できる簡易型トイレなどに用いられる排泄物配送装置に関するものである。
【背景技術】
【０００２】
病気や怪我、あるいは加齢によりトイレで自立的に排泄不能な病人や、高齢者にとって、ベッドや車椅子などで使用できる簡易型トイレなどが利用されている。また、このような簡易型トイレでは、別に設けられたタンクなどに、排泄物を配送する装置が用いられる。配送装置により排泄物が配送され、利用者の衛生環境や清潔感が維持される。
【０００３】
特許文献１は、このような自動排泄物処理装置を開示する。特許文献１で開示される自動排泄処理装置では、吸引ポンプにより吸引用配管を通じて排泄物が配送される。
【０００４】
しかしながら、特許文献１で開示される自動排泄物処理装置では、吸引されるだけであるので、固い排泄物などは、十分に配送されず、吸引用配管に詰まるなどする不具合がある。このように排泄物が吸引用配管に詰まると、装置の故障などが生じ、使用者にとって非常に不便である。特に、使用者は病人など、自分で種々の作業ができない者が通常であり、吸引用配管の目詰まりや、これに伴う装置の故障などに対処することができない問題もある。また、衛生状態も悪くなる。
【０００５】
特許文献２、３、４、５は、排泄物の処理装置や、簡易型トイレについて開示する。特許文献２などは、排泄物を配送する装置について開示する。
【０００６】
しかしながら、特許文献２、３、４、５に開示される簡易型トイレなどは、建物や戸外に固定的に設置され、自立的に排泄できる使用者に利用される。すなわち、これらの簡易型トイレなどは、可撓性を有さない構造のため、ベッドや車椅子などでの設置が困難である問題を有している。特許文献２などに開示される簡易型トイレなどは、屈曲や湾曲などが困難であり、ベッドから床などに向けて設置できない。このため、自立的に排泄が困難な使用者にとっての適用は困難である問題がある。
【特許文献１】特開２００２−５８６９２号公報
【特許文献２】実開昭６４−５３７３６号公報
【特許文献３】実開昭６２−１０００９７号公報
【特許文献４】実開平２−１７５３９号公報
【特許文献５】実開平２−３３２３２号公報
【発明の開示】
【発明が解決しようとする課題】
【０００７】
そこで本発明は、自立的に排泄不能な使用者が、ベッドや車椅子などで使用でき、固い排泄物であっても目詰まり無く配送できる可撓性のある排泄物配送装置を提供することを目的とする。
【課題を解決するための手段】
【０００８】
第１の発明に係る排泄物配送装置は、人体の股部に装着可能に形成された受け部を、可撓性のある導管の一端部に接続し、導管の他端部を、導管の内容物を吸引する吸引部に接続し、らせん状に旋回し可撓性を有するスパイラル芯材を、導管内部へ回転可能に挿入し、スパイラル芯材に複数の羽根部を植設し、スパイラル芯材に駆動部の回転力を印加してなる。
【０００９】
この構成により、排泄物配送装置は、屈曲や湾曲などの可撓性をもって、設置場所の形状に柔軟に対応して設置される。また、固い固形物の排泄物であっても、導管内部が目詰まりを起こすことなく、確実に配送される。
【００１０】
第２の発明に係る排泄物配送装置では、複数の羽根部は、隣接する羽根部との間に空隙を有する。
【００１１】
この構成により、羽根部が植設されたスパイラル芯材は、屈曲し、湾曲する。
【００１２】
第３の発明に係る排泄物配送装置では、複数の羽根部の少なくとも一部を、千鳥配列に植設してなる。
【００１３】
この構成により、羽根部が植設されたスパイラル芯材は、屈曲し、湾曲する。また、排泄物が残されること無く、配送される。
【００１４】
第４の発明に係る排泄物配送装置では、複数の羽根部少なくとも一部を、くしの歯状に植設してなる。
【００１５】
この構成により、排泄物が、細かく粉砕されて、配送されやすくなる。
【００１６】
第５の発明に係る排泄物配送装置では、複数の羽根部の少なくとも一部を、スパイラル芯材の形成する仮想円周の内周に植設してなる。
【００１７】
この構成により、羽根部が植設されたスパイラル芯材の回転により生じる搬送力が高まる。
【００１８】
第６の発明に係る排泄物配送装置では、複数の羽根部の外縁の少なくとも一部を尖らせてなる。
【００１９】
この構成により、排泄物が確実に粉砕され、排泄物が容易に配送される。
【００２０】
第７の発明に係る排泄物配送装置では、導管内部に、可撓性のある導光管を挿入し、導光管に光線を照射する光源を設け、導管内部を光触媒処理してなる。
【００２１】
この構成により、導管内部が、衛生的かつ清潔に保たれる。
【００２２】
第８の発明に係る排泄物配送装置では、導光管をスパイラル芯材のらせんの軸心に装着し、導光管をスパイラル芯材の回転軸としてなる。
【００２３】
この構成により、スパイラル芯材の回転が容易になる。
【００２４】
第９の発明に係る排泄物配送装置では、導光管に間接部を設けてなる。
【００２５】
この構成により、導光管が容易に屈曲し、湾曲する。
【発明の効果】
【００２６】
本発明によれば、病人や高齢者のように自立的に排泄行為が困難な者にとっても、ベッドや車椅子などに簡易型の排泄処理装置が容易に設置される。特に、本発明による排泄物配送装置は可撓性を有しているため、ベッドや車椅子などに設置する場合に、屈曲、湾曲させることが容易であり、設置場所の形状などに適した設置が可能となる。
【００２７】
特に、導管やスパイラル芯材が可撓性を有していることに加えて、複数の羽根部により、屈曲に対応する。
【００２８】
また、導管内部に回転可能なスパイラル芯材が設けられているので、固い固形の排泄物などであっても目詰まりを起こすことなく配送される。特に、設置場所によって導管が水平になってしまった場合でも、スパイラル芯材の搬送力により、排泄物は滞りなく配送される。このため、配送が困難になることによる使用者の不快感も生じない。
【００２９】
更に、導光管と光触媒処理により、導管内部も清潔に保たれ、使用者にとっての衛生状態が好適に維持される。
【００３０】
目詰まりや汚濁の防止が適切に図られることにより、排泄物配送装置の修理や交換に必要なコストも低減し、介護などに適している。
【発明を実施するための最良の形態】
【００３１】
以下、図面を参照しながら、本発明の実施の形態を説明する。
【００３２】
（実施の形態１）
図１は、本発明の実施の形態１における排泄物配送装置の斜視図である。図２は、本発明の実施の形態１における受け部付近の斜視図である。図３は、本発明の実施の形態１における受け部の側断面図である。図４は、本発明の実施の形態１における受け部が人体に装着された状態を示す図である。
【００３３】
排泄物配送装置１は、次の要素を備えている。
【００３４】
排泄物を受ける受け部２の一端部に、可撓性のある導管５が接続されている。導管５の他端部には、吸引部９が接続されている。導管５の内部に、らせん状に旋回し可撓性があるスパイラル芯材６が、回転可能に挿入されている。更に、スパイラル芯材６には、複数の羽根部７が植設されている。更に、スパイラル芯材６を回転させる駆動部８が設けられ、さらに導管５を経由して配送された排泄物を溜めるタンク１１も設けられている。
【００３５】
なお、駆動部８と吸引部９は、タンク１１内部に一体的に形成されても良い。
【００３６】
まず、受け部２について説明する。
【００３７】
受け部２は、人体の股部に装着可能に形成されており、人体からの排泄物を受ける。受け部２の形状は、様々であるが、好ましくは排泄物を受けやすいよう、人体の股部にフィットする形状である。例えば、図２に示されるように、股部の前後を覆うような、「略くの字」の形状などが好適である。また、人体装着時の不快感を低減するために、人体に触れる部分が軟質の樹脂やゴム、あるいは繊維などで形成されるのも良い。
【００３８】
受け部２は、窪み部３を更に備える。窪み部３は、人体装着時に、股部との間の空隙を形成し、この空隙に人体からの排泄物が受け止められる。窪み部３は、導管５の入り口を備えており、窪み部３に溜まった排泄物は、この入り口から導管５に送出される。窪み部３が設けられることにより、人体装着時に排泄物が人体と密着することが防止され、使用者の不快感が低減される。また、排泄物の受け部２からのあふれ出しが防止される。
【００３９】
なお、図３、図４に示されるように、受け部２は、人体の排泄器官を洗浄する洗浄ノズル１４を備えることもよい。また、受け部２や窪み部３は、排泄物などが付着しにくいように、高分子ポリマーシリコンコーティングなどが施されていることも好適である。
【００４０】
また、受け部２は、導管５から取り外し可能である。取り外し可能であることで、容易に洗浄され、また取替え部品との交換もなされる。
【００４１】
受け部２には、装着バンド４が設けられ、人体１５への装着が容易に行われる。図４に、人体１５に受け部２が装着されている状態が示されている。
【００４２】
次に、導管５について説明する。
【００４３】
導管５は、可撓性のある素材で形成され、受け部２に接続されて、排泄物をタンク１１まで配送する。
【００４４】
導管５は、例えば、ナイロン（登録商標）、ポリウレタン、ナイロン（登録商標）とポリウレタンの混合材、ポリエチレンナフタレート（ＰＥＮ）などの素材で形成される。あるいは、軟性樹脂などで形成される。また、これらの素材は低摩擦であり、排泄物がスムーズに配送される。
【００４５】
このような可撓性のあるやわらかい素材で形成されることで、設置場所に応じて、導管５は、容易に折り曲げ、屈曲、湾曲される。すなわち、ベッドや車椅子など、排泄が行われる人体の股部の位置と、排泄物が溜められるタンク１１との間の形状や障害物などに合わせて、配送を行う導管５が設置される。
【００４６】
また、導管５は抗菌加工されることも好適である。抗菌加工により、衛生状態が維持される。
【００４７】
次に、スパイラル芯材６について説明する。
【００４８】
スパイラル芯材６は、らせん形状を有しており、導管５と同様に可撓性を有し、回転可能に導管５内部に挿入されている。また、スパイラル芯材６は、ナイロン（登録商標）やポリウレタン、これらの合成素材などの軟性樹脂、あるいはゴム、ビニール樹脂などで形成される。このような可撓性を有し、摩擦の低い素材で形成されることで、導管５内部に挿入されている場合でも、容易に折り曲げられ、屈曲され、あるいは湾曲される。結果として、スパイラル芯材６が挿入された導管５は、設置場所の形状や障害物に合わせて、柔軟に設置される。
【００４９】
また、スパイラル芯材６は、駆動部８による駆動力の印加を受けて回転する。すなわち、スパイラル芯材６は、回転による搬送力を生じ、導管５内部の排泄物を効率的且つ強力に配送する。
【００５０】
また、導管５などと同様に、スパイラル芯材６も高分子ポリマーシリコンコーティング加工や抗菌処理が行われることで、排泄部などの付着が防止され、衛生状態が維持される。
【００５１】
なお、スパイラル芯材６は、導管５全長において、少なくとも一部に挿入されておけばよい。
【００５２】
次に、図５〜図８をもちいて、羽根部７について説明する。
【００５３】
図５、図６は、本発明の実施の形態１における導管内部の斜視図である。図７（ａ）〜図７（ｅ）は、本発明の実施の形態１における羽根部の正面図である。図８は、本発明の実施の形態１における羽根部の側面図である。
【００５４】
まず、複数の羽根部７が、スパイラル芯材６に植設されている。羽根部７は、スパイラル芯材６からの凸部であり、スパイラル芯材６の回転に伴って排泄物を粉砕し、配送する。スパイラル芯材６だけでは粉砕しきれない排泄物も、スパイラル芯材６から突出した羽根部７により、容易に粉砕される。このため、導管５を介した排泄物の配送は、より容易となる。更に羽根部７は、スパイラル芯材６の回転により生じる渦流をさらに強力にするので、搬送力を高める役割を果たす。
【００５５】
すなわち、複数の羽根部７がスパイラル芯材６に植設されることで、排泄物はより確実に粉砕されて配送され、導管５内部での排泄物などの目詰まりが防止される。
【００５６】
スパイラル芯材６には、複数の羽根部７が設けられており、複数の羽根部７は、それぞれ独立に植設されている。このため、一つ一つの羽根部７のスパイラル芯材６に沿った幅は小さく、個々の羽根部７は、隣接する羽根部７との間の応力に柔軟に対応する。このため、導管５やスパイラル芯材６が湾曲される場合でも、これに応じて湾曲する。例えば、羽根部７は、その隣接する羽根部７との間に空隙を有している。スパイラル芯材６が湾曲されたり、屈曲されたりする場合に生ずる応力が、この空隙により逃がされて、羽根部７が植設されていてもスパイラル芯材６は、柔軟に屈曲され、湾曲される。
【００５７】
例えば、図５や図７（ｃ）に示されるように、複数の羽根部７は、隣接する羽根部７との間に隙間を有して、整列して植設される。このように植設されることで、羽根部７が植設されたスパイラル芯材６（スパイラル芯材６が挿入された導管５）は、柔軟に屈曲され、湾曲される。
【００５８】
また、図６や図７（ａ）に示されるように、複数の羽根部７は、千鳥配列で植設されてもよい。千鳥配列で植設されることで、複数の羽根部７が交互に並ぶ。このため、導管５の軸心方向から見て、羽根部７の隣接部には隙間がなくなり、排泄物が残されること無く配送される。更に、千鳥配列であることで、隣接する羽根部７同士は分離しているため、スパイラル芯材６の屈曲や湾曲により生じる応力は、逃がされる。結果として、千鳥配列で複数の羽根部７が植設されているスパイラル芯材６は、柔軟に屈曲され、湾曲される。
【００５９】
あるいは、図７（ｄ）に示されるように、複数の羽根部７は、くしの歯状に植設されてもよい。くしの歯状に植設されていることで、排泄物、特に固い排泄物の粉砕力が高まる。また、くしの歯状に植設される場合に、個々の羽根部７が細身に形成され、非常に多くの羽根部７が植設されることで、固形の排泄物が、非常に細かく粉砕される。細かく粉砕されることで、粉砕された排泄物の配送が容易となる。
【００６０】
なお、複数の羽根部７は、スパイラル芯材６のある部分では整列状態で植設されてもよく、別の部分では千鳥配列に植設されてもよく、他の部分ではくしの歯状に植設されても良い。すなわち、スパイラル芯材６には、整列状態の羽根部７と、千鳥配列の羽根部７と、くしの歯状の羽根部７が、混在して植設されていてもよい。また、複数の羽根部７は、それぞれの形状や大きさが異なっていても良い。
【００６１】
例えば、スパイラル芯材６において、受け部２に近接する部分では、羽根部７がくしの歯状に植設され、中間部においては、羽根部７が千鳥配列に植設され、タンク１１に近接する部分では、羽根部７が整列状態で植設されることも好適である。このように植設されることで、排泄物が最初に細かく粉砕され、次いで粉砕された排泄物が強力に配送され、最後に残留することなくタンク１１に送り出される。
【００６２】
なお、図８に示されるように、羽根部７の外縁の少なくとも一部が尖っていることも好適である。外縁が尖らされていることで、排泄物の粉砕力が高まるからである。
【００６３】
また、図５などに示されるように羽根部７は、スパイラル芯材６が形成する仮想円周の内周に植設されることが好適であるが、図７（ｅ）に示されるように仮想円周の外周に植設されても良い。外周に植設される場合には、導管５の内部壁との衝突や摩擦を考慮する必要がある。
【００６４】
なお、羽根部７が仮想円周の内周に植設される場合には、搬送力はより高まる。
【００６５】
次に、図９を用いて駆動部８について説明する。
【００６６】
図９は、本発明の実施の形態１における筐体内部の断面図である。
【００６７】
駆動部８は、スパイラル芯材６を回転させる。駆動部８は、モータなどが用いられる。駆動部８やその接続部品などは、タンク１１を備える筐体１０に格納される。また、電源や電池なども、必要に応じて格納される。
【００６８】
駆動部８が、スパイラル芯材６の端部に直接的に接続されて、スパイラル芯材６の回転が実現されてもよく、駆動部８のシャフトとスパイラル芯材６の端部が歯車やプーリー１６などで接続されて、スパイラル芯材６の回転が実現されても良い。
【００６９】
図９には、駆動部８が、プーリー１６によりスパイラル芯材６に駆動力を与える構成が示されている。
【００７０】
また、駆動部８に減速モータが使用されることで、スパイラル芯材６の回転が、排泄物の配送に適したものとされる。
【００７１】
次に、吸引部９について説明する。
【００７２】
吸引部９は、導管５の他端部に接続され、導管５内部の内容物を吸引する。吸引部９は、圧縮ポンプなどが用いられる。
【００７３】
なお、排泄物は、吸引部９からの吸引作用と、スパイラル芯材６の回転による搬送力により導管５を経由して配送される。
【００７４】
タンク１１は、導管５を介して配送された排泄物が溜められる。タンク１１は、一時的に排泄物を蓄積し、必要に応じて蓄積された排泄物は、タンク１１から廃棄される。また、タンク１１の大きさは、設置場所や使用状況に応じて、適宜決められればよい。
【００７５】
更に、駆動部８やこれの周辺部品などは、タンク１１を形成する筐体に合わせて格納されても良い。
【００７６】
以上の構成により、受け部２に排泄された排泄物は、導管５に入り、羽根部７の植設されたスパイラル芯材６の回転により、粉砕される。更に、スパイラル芯材６の回転により生じる搬送力により、粉砕された排泄物は導管５を介して配送されて、タンク１１に溜められる。このとき、固い排泄物などであっても、羽根部７により十分に粉砕される上、押し流されるように配送されるので、導管５内部で目詰まりが生じることがない。すなわち、排泄物が確実に配送され、使用者にとっての不快感がなく、衛生状態も保たれ、取替えや修理のコストも低減される。
【００７７】
更に、導管５とスパイラル芯材６は、軟性樹脂などの可撓性のある素材で形成され、スパイラル芯材６には複数の羽根部７が植設され（更に、羽根部７同士は、隣接部に空隙をもって植設される）るので、容易に屈曲され、湾曲される。結果として、ベッドや車椅子などにおいて、可撓性を有した設置が可能となる。結果として、自立的に排泄行為が困難な老齢者や病人の排泄行為が容易となる。
【００７８】
次に、本発明の排泄物配送装置の使用態様について説明する。
【００７９】
受け部２が、装着バンド４により人体の股部に装着される。装着された受け部２に接続された導管５は、途中で湾曲しながら設置され、タンク１１に接続する。使用者がベッドに寝ている場合などには、股部からタンクまでは高低差などがあるので、導管５などが柔軟に湾曲することが必要である。
【００８０】
使用者が、受け部２に対して排泄を行うと、排泄物は導管５内部を配送される。このとき、羽根部７で固形の排泄物は粉砕され、スパイラル芯材６の回転により生じる搬送力で配送される。また、導光管２０からの拡散光による光触媒作用で、壁面などに排泄物がこびりつかず、導管５内部は、清潔かつ衛生的に保たれる。
【００８１】
配送された排泄物はタンク１１内部に溜められ、任意にタンク内部が交換される。
【００８２】
このように、本発明における排泄物配送装置１は、病人や高齢者など自立的に排泄を行うのが困難な使用者にとって、容易に使用される。
【００８３】
なお、羽根部７が植設されたスパイラル芯材６が挿入された導管５としてのユニットにより、流通されてもよい。あるいは、導管５に受け部２が接続されたユニットにより流通されても良い。
【００８４】
（実施の形態２）
次に、実施の形態２について説明する。
【００８５】
実施の形態２における排泄物配送装置は、導光管を備えている。
【００８６】
図１０、図１１は、本発明の実施の形態２における排泄物配送装置の側面図である。なお、図１０では、光源２１や駆動部８がボックス２２に格納されており、排泄物は、導管５に設けられた分岐２３から排出される。分岐２３の先には、図１１に示されるようにタンク１１が設けられる。なお、図１１には示されていないが、タンク１１と分岐２３の接続部分近辺に、吸引部９が備えられる。スパイラル芯材６には、図１０に示されるように、複数の羽根部７が植設されている。
【００８７】
導管５内部に挿入されたスパイラル芯材６の軸心に、導光管２０が備えられている。導光管２０は、光源２１から照射される光を伝達し、導管５内部に光を照射する。なお、導光管２０は、導管５内部に光を照射するために、導光管２０の各部から拡散光がもれる構造であることが好ましい。また、導管５やスパイラル芯材７と同じく、導光管２０も可撓性のある素材で形成されている。例えば、透明や半透明の軟性樹脂やビニール素材などが用いられる。
【００８８】
また、導光管２０は、スパイラル芯材６の軸心に設けられても良い。このとき、スパイラル芯材６は、導光管２０に接続される。このため、スパイラル芯材６の軸心に設けられた導光管２０が、駆動部８により回転されることで、スパイラル芯材６も回転する。このように、導光管２０が、スパイラル芯材６の軸心として兼用されることで、スパイラル芯材６は、容易に回転される。
【００８９】
さらに、図１２に示されるように、導光管２０は、複数の部位から組み立てられても良い。図１２は、本発明の実施の形態２における導光管の一部の拡大図である。
【００９０】
複数の部位から組み立てられて、導光管２０が複数の間接部を備えることで、導光管２０の湾曲などの可撓性が向上する。また、間接部にレンズが設けられることで、光の拡散効果を高めることも好適である。
【００９１】
導管５内部は、光触媒処理がなされている。例えば、導管５内部の壁面には、酸化チタンが塗布されており、導光管２０から照射される光による光触媒作用により、汚れの分解、消臭、脱臭、抗菌、殺菌、有害物質の除去などが行われる。導管５内部は、排泄物の配送により汚れや細菌の付着がおきやすい。このため、光触媒処理が施された内壁に、導光管２０により光が照射されて光触媒作用が生じ、壁面に排泄物がこびりつきにくくなり、衛生状態が維持される。また、光触媒作用により、導管５の曇りなども防止され、内部観察が容易になる。
【００９２】
なお、導管５の内壁のみでなく、スパイラル芯材６、羽根部７などの表面も、酸化チタンなどによる光触媒処理がなされていても良い。
【００９３】
光源２１は、導光管２０の一方の端部から、光を照射する。光源２１には、紫外線ランプや赤外線ランプなどが使用される。特に、照射効力の高い光源が使用される。紫外線ランプから受けた紫外線が、導管５内部で拡散されることで、光触媒作用が効果的に生じる。
【００９４】
このように、実施の形態２における排泄物配送装置１は、導管５内部が光触媒作用により、清潔且つ衛生的に保たれる。更に、実施の形態１と同様に、固い固形の排泄物なども目詰まり無く配送され、ベッドや車椅子などにおいても、設置場所の形状などに合わせた柔軟な設置がされる。
【産業上の利用可能性】
【００９５】
本発明は、例えば、自立的な排泄行為が困難な使用者にとっての簡易型のトイレや排泄物処理装置などに好適に利用できる。
【図面の簡単な説明】
【００９６】
【図１】本発明の実施の形態１における排泄物配送装置の斜視図
【図２】本発明の実施の形態１における受け部付近の斜視図
【図３】本発明の実施の形態１における受け部の側断面図
【図４】本発明の実施の形態１における受け部が人体に装着された状態を示す図
【図５】本発明の実施の形態１における導管内部の斜視図
【図６】本発明の実施の形態１における導管内部の斜視図
【図７】（ａ）本発明の実施の形態１における羽根部の正面図  （ｂ）本発明の実施の形態１における羽根部の正面図  （ｃ）本発明の実施の形態１における羽根部の正面図  （ｄ）本発明の実施の形態１における羽根部の正面図  （ｅ）本発明の実施の形態１における羽根部の正面図
【図８】本発明の実施の形態１における羽根部の側面図
【図９】本発明の実施の形態１における筐体内部の断面図
【図１０】本発明の実施の形態２における排泄物配送装置の側面図
【図１１】本発明の実施の形態２における排泄物配送装置の側面図
【図１２】本発明の実施の形態２における導光管の一部の拡大図
【符号の説明】
【００９７】
１  排泄物配送装置
２  受け部
３  窪み部
４  装着バンド
５  導管
６  スパイラル芯材
７  羽根部
８  駆動部
９  吸引部
１１  タンク
２０  導光管
２１  光源
【図１】
2007029286.tif 000003
【図２】
2007029286.tif 000004
【図３】
2007029286.tif 000005
【図４】
2007029286.tif 000006
【図５】
2007029286.tif 000007
【図６】
2007029286.tif 000008
【図７】
2007029286.tif 000009
【図８】
2007029286.tif 000010
【図９】
2007029286.tif 000011
【図１０】
2007029286.tif 000012
【図１１】
2007029286.tif 000013
【図１２】
2007029286.tif 000014